(57)【特許請求の範囲】
【請求項１】
撮影装置とサーバ装置とを有する画像撮影システムであり、
前記撮影装置は、
端末装置を利用する利用者の画像を撮影し第１の画像情報を生成する撮影部と、
前記撮影部により生成された第１の画像情報に修飾を行い第２の画像情報を生成する修飾部と、
前記端末装置との間でＩＤを決定するＩＤ決定部と、
前記ＩＤ決定部により決定されたＩＤに、前記生成された第１および第２の画像情報を分離可能にした画像情報を関連付けて前記サーバ装置に送信する送信部と、
を有し、
前記サーバ装置は、
前記撮影装置より、ＩＤに関連付けられて送信された画像情報を受信し、前記第１および第２の画像情報を分離する受信部と、
前記受信部により受信されたＩＤに前記第１および第２の画像情報を関連付けて格納する画像格納部と、
前記端末装置よりＩＤを受信するＩＤ受信部と、
前記受信されたＩＤに関連付けて前記画像格納部に格納されている第１および第２の画像情報を返信する返信部と
を有し、
前記撮影装置のＩＤ決定部は、前記端末装置が生成し前記端末装置が表示したＩＤに対応する画像を前記撮影装置の撮影部により撮影し、前記ＩＤを決定することを特徴とする画像撮影システム。
【請求項２】
前記撮影装置の撮影部は、前記生成される第１の画像情報の背景画像部分を特定する背景特定部を有し、
前記撮影装置の修飾部は、前記第１の画像情報の背景画像部分に修飾を行ない、前記第２の画像情報を生成することを特徴とする請求項１に記載の画像撮影システム。
【請求項３】
撮影装置とサーバ装置と利用者の端末装置とを有する画像撮影システムであり、
前記撮影装置は、
前記利用者の画像を撮影し、背景画像部分が特定された第１の画像情報を生成する撮影部と、
前記撮影部により生成された第１の画像情報の前記背景画像部分に修飾を行い第２の画像情報を生成する修飾部と、
前記端末装置との間でＩＤを決定するＩＤ決定部と、
前記ＩＤ決定部により決定されたＩＤに、前記生成された第１および第２の画像情報を分離可能にした画像情報を関連付けて前記サーバ装置に送信する送信部と、
を有し、
前記サーバ装置は、
前記撮影装置より、ＩＤに関連付けられて送信された画像情報を受信し、前記第１および第２の画像情報を分離する受信部と、
前記受信部により受信されたＩＤに前記第１および第２の画像情報を関連付けて格納する画像格納部と、
前記端末装置よりＩＤを受信するＩＤ受信部と、
前記受信されたＩＤに関連付けて前記画像格納部に格納されている第１および第２の画像情報を返信する返信部と、
を有し、
前記端末装置は、
前記撮影装置の間で決定されたＩＤを取得するＩＤ取得部と、
前記ＩＤ取得部により取得されたＩＤを送信するＩＤ送信部と、
前記ＩＤ送信部によるＩＤの送信に応じて返信される第１および第２の画像情報を受信する画像情報受信部と、
前記第１の画像情報の背景画像部分に修飾を行う端末修飾部と
を有し、
前記端末修飾部は、前記端末装置にダウンロードされたアプリケーションにより提供され、
前記ダウンロードされたアプリケーションは、ＩＤを生成する機能を有し、
前記撮影装置のＩＤ決定部は、前記アプリケーションが生成し前記端末装置が表示したＩＤに対応する画像を前記撮影装置の撮影部により撮影し、前記ＩＤを決定することを特徴する画像撮影システム。
【請求項４】
前記ダウンロードされたアプリケーションは、前記決定されたＩＤの送信に応じて返信される第１および第２の画像情報を受信することを特徴とする請求項３に記載の画像撮影システム。
【請求項５】
前記撮影装置の送信部が送信する画像情報は、前記第１の画像情報と前記第２の画像情報の背景画像部分に相当する画像部分とを合成して分離可能にした画像情報であり、
前記サーバ装置の受信部は、前記第１の画像情報と前記第２の画像情報の背景画像部分に相当する画像部分との差分から前記第２の画像情報を分離することを特徴とする請求項２または請求項３に記載の画像撮影システム。
【請求項６】
撮影装置とサーバ装置とを有する画像撮影システムの動作方法であり、
前記撮影装置は、
端末装置を利用する利用者の画像を撮影し第１の画像情報を生成し、
前記生成された第１の画像情報に修飾を行い第２の画像情報を生成し、
前記端末装置との間でＩＤを決定し、
前記決定されたＩＤに、前記生成された第１および第２の画像情報を分離可能にした画像情報を関連付けて前記サーバ装置に送信し、
前記サーバ装置は、
前記撮影装置より、ＩＤに関連付けられて送信された画像情報を受信し、前記第１および第２の画像情報を分離し、
前記受信されたＩＤに前記第１および第２の画像情報を関連付けて格納し、
前記端末装置よりＩＤを受信し、
前記受信されたＩＤに関連付けて前記格納されている第１および第２の画像情報を返信することを含み、
前記端末装置との間でＩＤを決定することは、前記端末装置が生成し前記端末装置が表示したＩＤに対応する画像を前記撮影装置により撮影することを含むことを特徴とする、画像撮影システムの動作方法。
【請求項７】
撮影装置とサーバ装置と利用者の端末装置とを有する画像撮影システムの動作方法であり、
前記撮影装置は、
前記利用者の画像を撮影し、背景画像部分が特定された第１の画像情報を生成し、
前記生成された第１の画像情報の前記背景画像部分に修飾を行い第２の画像情報を生成し、
前記端末装置との間でＩＤを決定し、
前記決定されたＩＤに、前記生成された第１および第２の画像情報を分離可能にした画像情報を関連付けて前記サーバ装置に送信し、
前記サーバ装置は、
前記撮影装置より、ＩＤに関連付けられて送信された画像情報を受信し、前記第１および第２の画像情報を分離し、
前記受信されたＩＤに前記第１および第２の画像情報を関連付けて格納し、
前記端末装置よりＩＤを受信し、
前記受信されたＩＤに関連付けて前記格納されている第１および第２の画像情報を返信し、
前記端末装置は、
前記撮影装置の間で決定されたＩＤを取得し、
前記取得されたＩＤを送信し、
前記ＩＤの送信に応じて返信される第１および第２の画像情報を受信し、
前記第１の画像情報の背景画像部分に修飾を行うことを含み、
前記端末装置との間でＩＤを決定することは、前記端末装置が生成し前記端末装置が表示したＩＤに対応する画像を前記撮影装置により撮影することを含むことを特徴とする、画像撮影システムの動作方法。
【請求項８】
利用者の画像を撮影する撮影部と、
端末装置に表示されたＩＤに対応する画像を撮影し当該画像に基づいて前記端末装置に対するＩＤを決定するＩＤ決定部と、
前記撮影部による撮影に基づいて得られた画像情報を、前記決定されたＩＤに関連付けて、端末装置に画像情報を提供するサーバ装置に送信する送信部と、
を含むことを特徴とする撮影装置。
【請求項９】
利用者の画像を撮影し、
端末装置に表示されたＩＤに対応する画像を撮影し当該画像に基づいて前記端末装置に対するＩＤを決定し、
前記利用者の画像の撮影に基づいて得られた画像情報を、前記決定されたＩＤに関連付けて、端末装置に画像情報を提供するサーバ装置に送信すること、
を含むことを特徴とする撮影装置の動作方法。
【請求項１０】
ＩＤに対応した画像を表示部に表示し、
前記ＩＤをサーバ装置に送信し、
前記画像を撮影した撮影装置において当該画像に基づいて決定されたＩＤに対応付けられて前記サーバ装置に送信された画像情報のうち、前記送信したＩＤに対応付けられた画像情報を当該サーバ装置から受信することをコンピュータに実行させるためのプログラム。
【請求項１１】
前記表示部に表示する画像に対応するＩＤは、当該画像が当該表示部に表示される前に前記サーバ装置から受信されることを特徴とする請求項１０に記載のプログラム。
【発明の詳細な説明】
【技術分野】
【０００１】
本発明は、画像を撮影し、撮影された画像に修飾を加え、サーバに転送して、端末に画像をダウンロードして入手する画像撮影システムに関する。特に端末に画像をダウンロードする際に、修飾された画像に加えて、修飾前の画像を入手することができる画像撮影システムに関する。
【背景技術】
【０００２】
ゲームセンターなどにおいて、写真シール機やプリントシール機などとして知られている画像撮影印刷装置が配置されている。この画像撮影印刷装置は、利用者を撮影する機能を有し、撮影により得られた画像に対して、利用者がいわゆる「落書き」などにより修飾を行ない、修飾された画像を印刷する機能を有する。また、このとき、利用者は、撮影、修飾および印刷に対する対価に相当する硬貨や紙幣を画像撮影印刷装置の投入口に投入し、対価の徴収が行われる。
【０００３】
近年、印刷する機能に加えて、修飾された画像をサーバに転送し、利用者にサーバにアクセスするための情報を提示して、利用者はサーバより画像をダウンロードする機能を有する画像撮影システムが知られている（例えば、特許文献１参照。）。
【先行技術文献】
【特許文献】
【０００４】
【特許文献１】特開２００８−１９１７１４号公報
【発明の概要】
【発明が解決しようとする課題】
【０００５】
特許文献１に開示されている画像撮影システムにおいては、利用者は修飾された画像を得ることができるのみであるので、別の修飾を画像に行うためには、パーソナルコンピュータなどに画像を転送して画像編集ソフトウェアで修飾を削除するか、さらに撮影を行う必要があった。
【課題を解決するための手段】
【０００６】
そこで、本発明は、利用者が端末に画像をダウンロードする際に、修飾された画像と修飾されていない画像を入手することができる画像撮影システムを提供する。
【０００７】
すなわち、本発明の一実施形態として、撮影装置とサーバ装置とを有する画像撮影システムであり、前記撮影装置は、利用者の画像を撮影し第１の画像情報を生成する撮影部と、前記撮影部により生成された第１の画像情報に修飾を行い第２の画像情報を生成する修飾部と、前記端末装置との間でＩＤを決定するＩＤ決定部と、前記ＩＤ決定部により決定されたＩＤに、前記生成された第１および第２の画像情報を分離可能にした画像情報を関連付けて前記サーバ装置に送信する送信部と、を有し、前記サーバ装置は、前記撮影装置より、ＩＤに関連付けられて送信された画像情報を受信し、前記第１および第２の画像情報を分離する受信部と、前記受信部により受信されたＩＤに前記第１および第２の画像情報を関連付けて格納する画像格納部と、前記端末装置よりＩＤを受信するＩＤ受信部と、前記受信されたＩＤに関連付けて前記画像格納部に格納されている第１および第２の画像情報を返信する返信部とを有する画像撮影システムを提供する。
【０００８】
本発明の一実施形態として、撮影装置とサーバ装置と利用者の端末装置とを有する画像撮影システムであり、前記撮影装置は、前記利用者の画像を撮影し、背景画像部分が特定された第１の画像情報を生成する撮影部と、前記撮影部により生成された第１の画像情報の前記背景画像部分に修飾を行い第２の画像情報を生成する修飾部と、前記端末装置との間でＩＤを決定するＩＤ決定部と、前記ＩＤ決定部により決定されたＩＤに、前記生成された第１および第２の画像情報を分離可能にした画像情報を関連付けて前記サーバ装置に送信する送信部と、を有し、前記サーバ装置は、前記撮影装置より、ＩＤに関連付けられて送信された画像情報を受信し、前記第１および第２の画像情報を分離する受信部と、前記受信部により受信されたＩＤに前記第１および第２の画像情報を関連付けて格納する画像格納部と、前記端末装置よりＩＤを受信するＩＤ受信部と、前記受信されたＩＤに関連付けて前記画像格納部に格納されている第１および第２の画像情報を返信する返信部と、有し、前記端末装置は、前記撮影装置の間で決定されたＩＤを取得するＩＤ取得部と、前記ＩＤ取得部により取得されたＩＤを送信するＩＤ送信部と、前記ＩＤ送信部によるＩＤの送信に応じて返信される第１および第２の画像情報を受信する画像情報受信部と、前記第１の画像情報の背景画像部分に修飾を行う端末修飾部とを有する画像撮影システムを提供する。
【０００９】
本発明の一実施形態として、撮影装置とサーバ装置とを有する画像撮影システムの動作方法であり、前記撮影装置は、利用者の画像を撮影し第１の画像情報を生成し、前記生成された第１の画像情報に修飾を行い第２の画像情報を生成し、前記端末装置との間でＩＤを決定し、前記決定されたＩＤに、前記生成された第１および第２の画像情報を分離可能にした画像情報を関連付けて前記サーバ装置に送信し、前記サーバ装置は、前記撮影装置より、ＩＤに関連付けられて送信された画像情報を受信し、前記第１および第２の画像情報を分離し、前記受信されたＩＤに前記第１および第２の画像情報を関連付けて格納し、前記端末装置よりＩＤを受信し、前記受信されたＩＤに関連付けて前記格納されている第１および第２の画像情報を返信することを特徴とする、画像撮影システムの動作方法を提供する。
【００１０】
本発明の一実施形態として、撮影装置とサーバ装置と利用者の端末装置とを有する画像撮影システムの動作方法であり、前記撮影装置は、前記利用者の画像を撮影し、背景画像部分が特定された第１の画像情報を生成し、前記生成された第１の画像情報の前記背景画像部分に修飾を行い第２の画像情報を生成し、前記端末装置との間でＩＤを決定し、前記決定されたＩＤに、前記生成された第１および第２の画像情報を分離可能にした画像情報を関連付けて前記サーバ装置に送信し、前記サーバ装置は、前記撮影装置より、ＩＤに関連付けられて送信された画像情報を受信し、前記第１および第２の画像情報を分離し、前記受信されたＩＤに前記第１および第２の画像情報を関連付けて格納し、前記端末装置よりＩＤを受信し、前記受信されたＩＤに関連付けて前記格納されている第１および第２の画像情報を返信し、前記端末装置は、前記撮影装置の間で決定されたＩＤを取得し、前記取得されたＩＤを送信し、前記ＩＤの送信に応じて返信される第１および第２の画像情報を受信し、前記第１の画像情報の背景画像部分に修飾を行ことを特徴とする、画像撮影システムの動作方法を提供する。
【発明の効果】
【００１１】
本発明によれば、利用者が端末装置に画像をダウンロードする際に、修飾された画像に加えて、修飾前の画像を入手することができる。また、端末装置において、画像に対して修飾を行うことができる。
【図面の簡単な説明】
【００１２】
【図１】本発明の一実施形態に係る画像撮影システムの機能ブロック図
【図２】本発明の一実施形態に係る撮影装置の機能ブロック図
【図３】本発明の一実施形態に係る撮影装置の撮影部の機能ブロック図
【図４】本発明の一実施形態に係る背景画像部分の特定および修飾について説明する図
【図５】本発明の一実施形態に係る撮影装置の画像保持部の機能ブロック図
【図６】本発明の一実施形態における第１画像情報と第２画像情報との種々の形態を説明する図
【図７】本発明の一実施形態に係る撮影装置の画像修飾部の機能ブロック図
【図８】本発明の一実施形態に係る撮影装置のＩＤ決定部の機能ブロック図
【図９】本発明の一実施形態に係る撮影装置の送信部の機能ブロック図
【図１０】本発明の一実施形態に係る撮影装置の処理のフローチャート
【図１１】本発明の一実施形態に係るサーバ装置の機能ブロック図
【図１２】本発明の一実施形態に係るサーバ装置の画像情報受信部の機能ブロック図
【図１３】本発明の一実施形態に係るサーバ装置の画像格納部の機能ブロック図
【図１４】本発明の一実施形態に係るサーバ装置のＩＤ受信部の機能ブロック図
【図１５】本発明の一実施形態に係るサーバ装置の画像情報返信部の機能ブロック図
【図１６】本発明の一実施形態に係るサーバ装置の処理のフローチャート
【図１７】本発明の一実施形態に係る端末装置の機能ブロック図
【図１８】本発明の一実施形態に係る端末装置の処理のフローチャート
【図１９】本発明の一実施形態に係る画像撮影システムの処理のシーケンス図
【図２０】本発明の一実施形態に係る画像撮影システムの処理のシーケンス図
【発明を実施するための形態】
【００１３】
以下、本発明を実施するための形態を実施形態として説明する。なお、本発明は、以下に説明する実施形態に限定されることはなく、種々に変形を施しても実施することができる。
【００１４】
図１は、本発明の一実施形態に係る画像撮影システムの機能ブロック図を示す。画像撮影システム１００は、撮影装置１０１と、サーバ装置１０２と、端末装置１０３とを有する。撮影装置１０１とサーバ装置１０２とは第１の通信網により接続され、また、サーバ装置１０２と端末装置１０３とは第２の通信網により接続される。第１の通信網は例えばインターネットなどの公衆通信網であったり専用線による通信網であったりする。また、撮影装置１０１の設置を容易などにするために、第１の通信網として、携帯電話用の通信網が用いられてもよい。第２の通信網も第１の通信網と同じインターネットなどの通信網であってもよいが、携帯端末１０３が携帯電話などであれば、携帯電話用の通信網、公衆無線ＬＡＮを用いた通信網などであってもよい。
【００１５】
撮影装置１０１は、利用者の画像を撮影する。また、撮影により得られた画像情報に対して、修飾を行うことができる。また、撮影装置１０１は、端末装置１０３との間で画像情報に対するＩＤを決定し、ＩＤと関連付けて画像情報をサーバ装置に送信する。
【００１６】
サーバ装置１０２は、撮影装置１０１よりＩＤと関連付けて送信された画像情報を受信し、ＩＤと関連付けて画像情報を記憶装置に格納する。また、端末装置１０３よりＩＤを受信し、受信されたＩＤと関連付けて格納されている画像情報を送信する。
【００１７】
端末装置１０３は、撮影装置１０１との間で決定されたＩＤをサーバ装置１０２に送信し、送信したＩＤと関連付けてサーバ装置１０２に格納されている画像情報を受信し、メモリに記憶する。また、端末装置１０３は、必要に応じてアプリケーションを起動し、メモリに記憶された画像情報に修飾などを加えることができる。
【００１８】
以下において、撮影装置１０１、サーバ装置１０２および端末装置１０３の構成および処理のフローチャートなどについて詳細に説明する。
【００１９】
図２は、撮影装置１０１の機能ブロック図を示す。撮影装置１０１は、撮影部２０１と画像保持部２０２と画像修飾部２０３とＩＤ決定部２０４と送信部２０５とを有する。
【００２０】
撮影部２０１は、画像を撮影し、画像情報を生成する。画像は、撮影装置１０１の利用者の画像を含む。このため、撮影部２０１は、ＣＣＤ素子などの撮像素子を有するカメラにより、光学系に入射した画像を画像情報に変換する。なお、後に説明するように画像情報から背景の部分を特定し、利用者の画像部分と背景の部分とを分離可能とするために、所定の色のカーテンなどを用いて背景色が所定の色となるようにし、カーテンなどとカメラと間に利用者が位置して撮影が行われるようになっていてもよい。なお、背景の部分を除いた画像の画像情報をメイン画像情報という場合がある。
【００２１】
図３は、撮影部２０１の機能ブロック図を示す。撮影部２０１は、カメラ部３０１と背景特定部３０２とを有する。カメラ部３０１は、上述した光学系と撮像素子とを有するカメラである。光学系により撮像素子上に像を結像させ、撮像素子により、結像の状態を電気信号に変換して画像情報を得る。背景特定部３０２は、得られた画像情報のうち、背景の領域を特定する。これにより、撮影装置１０１の利用者などの人を撮影した画像の部分であるメイン画像と、背景の部分の画像とを区別することができる。背景部分の特定は、カーテンなどの所定の色の部分を求めることにより、行う。例えば、画像情報の外縁から内部に向けて、所定の色が連続する限り、背景の部分の画像であるとして、背景の部分を特定する。
【００２２】
図４は、背景特定部３０２による処理の一例を示す。画像情報４０１が、カメラ部３０１による撮影により得られた画像情報であるとする。このとき、背景特定部３０２は、背景の部分の画像４０３を特定する。これにより、背景の部分４０３とメイン画像の部分４０２とを分離することができる。すなわち、メイン画像の部分画像４０６を除いた背景の部分画像４０５の画像情報４０４（背景画像情報）と、背景の部分画像４０９を除いたメイン画像の部分画像４０８の画像情報４０７（メイン画像情報）とに分離できる。なお、図４において、斜線の部分（ハッチング部分）は、例えば透明な色の部分であり、別の画像を下のレイヤに重ねた場合、斜線の部分には下のレイヤの画像の部分が表示される。
【００２３】
画像保持部２０２は、撮影部２０１による撮影により得られた画像情報を保持する。例えばメモリ素子に一時的に記憶して、画像情報を保持する。また、画像保持部２０２は、次に説明する画像修飾部２０３による処理のための作業領域を提供する。また、画像保持部２０２は、撮影部２０１による撮影により得られた画像情報が保持される領域と画像修飾部２０３による処理のための作業領域とを異なる領域として、画像情報を保持することが好ましい。あるいは、メイン画像情報が保持される領域と背景画像情報が保持される領域とを異なる領域として、画像情報を保持することが好ましい。
【００２４】
図５は、画像保持部２０２の機能ブロック図を示す。画像保持部２０２は、メイン画像情報保持部５０１と、背景画像情報保持部５０２とを有する。撮影部２０１による撮影により得られた画像情報に対して、背景特定部３０２により背景の部分の画像が特定される。これにより、メイン画像情報が保持される領域と背景画像情報が保持される領域とを異なる領域として、画像情報を保持することができる。
【００２５】
なお、本発明は、メイン画像情報が保持される領域と背景画像情報が保持される領域とを異なる領域とすることに限定されることはない。図６は、画像保持部２０２に保持される画像情報の種々の形態を示す。第１の形態においては、第１画像情報を撮影された画像の画像情報、すなわち、撮影部２０１により撮影された画像の画像情報とし、第２画像情報を、修飾された画像の画像情報とする。
【００２６】
ここに、後に説明する画像修飾部２０３による修飾が、図４の画像情報４１０のように、背景画像情報に対して行われるようになっていれば、修飾された画像の画像情報は、画像情報４１０と画像情報４０７とを合成した画像情報４１３となる。撮影された画像との画像情報と修飾された画像の画像情報との差分を計算すれば、メイン画像情報を得ることができる。メイン画像情報を得ることができれば、修飾された画像の画像情報の上のレイヤにメイン画像情報を重ねて表示することにより、修飾の一部がメイン画像の上に表示され、メイン画像が見づらくなることがなくなる。
【００２７】
第２の形態においては、第１画像情報をメイン画像情報とし、第２画像情報を修飾された画像の画像情報とする。例えば、第１画像情報を画像情報４０７とし、第２画像情報を画像情報４１３とする。
【００２８】
第３の形態においては、第１画像情報を、修飾された画像情報とし、第２画像情報を修飾された背景画像の画像情報とする。例えば、第１画像情報を画像情報４１３とし、第２画像情報を画像情報４１０とする。画像情報４１３から画像情報４１０の差分を計算すれば、メイン画像情報４０７を得ることができる。
【００２９】
第４の形態においては、第１画像情報をメイン画像情報とし、第２画像情報を修飾された背景画像の画像情報とする。例えば、第１画像情報を画像情報４０７とし、第２画像情報を画像情報４１０とする。
【００３０】
画像修飾部２０３は、撮影部２０１による撮影により得られた画像情報の背景部分の背景画像情報に対して修飾を加える。
【００３１】
修飾は、ディスプレイに画像情報を表示し、電子ペンやマウスなどによる操作や、あるいは、表示部分がタッチパネルになっている場合にはタッチパネルに人の指が触れるのを検出することによる操作によって、線を背景部分に書き加えたり、所定の部分画像を選択して配置したり、スタンプを押したりすることにより行われる。背景部分に修飾が加えられることにより、図４の画像４１３の矢４１２のように、メイン画像の下に修飾が加えられているように見え、メイン画像の人物を飾ることができる。
【００３２】
なお、撮影装置１０１は、（１）上述のように、背景部分に修飾を加えメイン画像には修飾を加えない第１のモードと、（２）背景部分に修飾を加え、また、メイン画像にも修飾が加えることができる第２のモードとを備えていてもよい。この場合、利用者の操作により、撮影装置１０１のモードを選択することができるようになっていてもよい。また、撮影装置１０１がジャンケンなどのゲームを利用者と行って、利用者が勝った場合に、利用者がモードを選択し、利用者が負けた場合には、撮影装置１０１が乱数などを生成してモードを選択してもよい。
【００３３】
図７は、画像修飾部２０３の機能ブロック図を示す。画像修飾部２０３は、操作検出部７０１と画像表示部７０２と操作実行部７０３とを有する。画像表示部７０２は、撮影部２０１による撮影により得られた画像情報を表示する。例えば、液晶ディスプレイなどとその制御回路と必要ならば制御プログラムなどから構成される。操作検出部７０１は、表示された画像情報に対する操作を検出する。上述したように、電子ペン、マウス、タッチパネルなどを用いる利用者による操作を検出する。例えば、線の描画、部分画像の選択、部分画像の配置、操作の取消などの操作を検出する。操作実行部７０３は、画像保持部２０２に保持された画像情報に対して、操作検出部７０１により検出された操作を加える。操作実行部７０３により操作が加えられた画像情報は、画像表示部７０２にも表示される。
【００３４】
ＩＤ決定部２０４は、画像保持部２０２に保持されている画像情報を送信部２０５により送信する際に、送信される画像情報とともに送信されるＩＤを決定する。このＩＤは、サーバ装置１０２に送信される画像情報を識別する情報として用いられる。
【００３５】
図８の（Ａ）は、本発明の一実施形態におけるＩＤ決定部２０４の機能ブロック図を示す。ＩＤ決定部２０４は、ＩＤ生成部８０１とＩＤ表示部８０２とＩＤ送信部８０３とを有する。ＩＤ生成部８０１は、画像情報を送信部２０５により送信する際に、送信される画像情報とともに送信されるＩＤを生成する。例えば、撮影装置１０１を識別する情報に、乱数を付加してＩＤを生成する。ＩＤ生成部８０１により生成されるＩＤは、撮影装置１０１の利用者以外の者には予測のできない情報であることが好ましいからである。ＩＤ表示部８０２は、ＩＤ生成部８０１により生成されたＩＤを表示する。例えば、画像修飾部２０３の画像表示部７０２により表示する。表示されたＩＤは、端末装置１０３に入力される。また、ＩＤは、表示される代わりに、赤外線によって端末装置１０３に送信されてもよいし、近傍無線通信手段により端末装置１０３に送信されてもよい。この場合、撮影装置１０１の利用者が端末装置１０３に入力する。あるいは、ＩＤの表示は、バーコードなどを用いて機械的に読み取り可能とすることもできる。この場合、端末装置１０３のカメラにより、バーコードを撮影し、ＩＤの入力がされる。ＩＤ送信部８０３は、ＩＤ生成部８０１により生成されたＩＤを送信部２０５に送信する。
【００３６】
図８の（Ｂ）は、本発明の別の一実施形態におけるＩＤ決定部２０４の機能ブロック図を示す。ＩＤ決定部２０４は、ＩＤ撮影部８０４とＩＤ復号部８０５とＩＤ送信部８０６とを有する。ＩＤ撮影部８０４は、端末装置１０３の画面に表示されたＩＤを撮影する。この撮影は、撮影部２０１により行われるようになっていてもよい。端末装置１０３の画面にＩＤを表示する際には、バーコードによる表示が行われてもよい。ＩＤ復号部８０５は、ＩＤ撮影部８０４により撮影されたＩＤを復号する。例えば、撮影されたバーコードを解析しバイト列に変換する。ＩＤ送信部８０６は、ＩＤ復号部８０５により復号されたＩＤを送信部２０５に送信する。
【００３７】
送信部２０５は、撮影部２０１による撮影により得られ、画像保持部２０２に保持され、画像修飾部２０３により修飾された画像情報を、ＩＤ決定部２０４により決定されたＩＤと関連付けて送信する。なお、送信部２０５は、画像修飾部２０３により修飾された画像情報に加えて、撮影部２０１により撮影された画像情報を送信する。これにより、差分を計算することにより、メイン画像情報を得ることができる。なお、本発明は、画像修飾部２０３により修飾された画像情報と撮影部２０１により撮影された画像情報とが送信部２０５により送信される構成に限定されない。例えば、図６の第１画像情報と第２画像情報とをＩＤと関連付けて送信することにより、画像修飾部２０３により修飾された画像情報とメイン画像情報とを分離できるような形態で送信することもできる。
【００３８】
図１０は、撮影装置１０１の処理の流れを説明するフローチャートの一例である。ステップＳ１００１の処理として、撮影部２０１により、画像を撮影し画像情報を得る。ステップＳ１００２の処理として、画像保持部２０２により、ステップＳ１００１において得られた画像情報を格納し保持する。ステップＳ１００３の処理として、画像修飾部２０３により、ステップＳ１００２において保持された画像情報の修飾を行う。ステップＳ１００４の処理として、ＩＤ決定部２０４により、ＩＤを決定する。ステップＳ１００５により、送信部２０５により、ＩＤと画像情報とを送信する。
【００３９】
なお、撮影装置１０１を、ＣＰＵ、メモリ、二次記憶装置および送受信インターフェースを相互にバスにより接続した計算機に図１０のフローチャートの処理を実行するプログラムを動作させることにより実現することもできる。例えば、撮影部２０１による撮影により得られた画像情報は、二次記憶装置に記憶される。そして、画像修飾部２０３の処理を行うプログラムをＣＰＵにより実行し、メモリを作業領域として用いて、画像情報に対する修飾を行う。また、ＩＤを、入出力インターフェースを用いて端末装置１０３と通信を行ない決定し、入出力インターフェースを用いて、画像情報とＩＤとが送信される。
【００４０】
もちろん、撮影装置１０１は、専用のＬＳＩなどを組み合わせてハードウェアのみの構成とすることもできる。
【００４１】
図１１は、サーバ装置１０２の機能ブロック図の一例を示す。サーバ装置１０２は、画像情報受信部１１０１と画像格納部１１０２とＩＤ受信部１１０３と画像情報返信部１１０４とを有する。
【００４２】
画像情報受信部１１０１は、撮影装置１０１から送信された画像情報とＩＤとを受信する。
【００４３】
図１２は、画像情報受信部１１０１の機能ブロック図の一例を示す。画像情報受信部１１０１は、ＩＤ付画像情報受信部１２０１とＩＤ分離部１２０２と第１画像情報分離部１２０３と第２画像情報分離部１２０４とを有する。
【００４４】
ＩＤ付画像情報受信部１２０１は、撮影装置１０１から送信された画像情報とＩＤとを受信し、ＩＤ分離部１２０２と第１画像情報分離部１２０３と第２画像情報分離部１２０４とに、受信した画像情報とＩＤとを伝達する。例えば、ＩＤ付画像情報受信部１２０１は、受信した画像情報とＩＤとをサーバ装置１０２の有するメモリの所定アドレスに、受信した画像情報とＩＤとを格納し、所定アドレスをＩＤ分離部１２０２と第１画像情報分離部１２０３と第２画像情報分離部１２０４とに渡す。
【００４５】
ＩＤ分離部１２０２は、ＩＤ付画像情報受信部１２０１が受信した画像情報とＩＤとからＩＤを分離し、画像格納部１１０２に伝達する。
【００４６】
第１画像情報分離部１２０３と第２画像情報分離部１２０４とのそれぞれは、ＩＤ付画像情報受信部１２０１が受信した画像情報とＩＤとから画像情報を分離し、さらに画像情報を第１画像情報と第２画像情報とに分離する。また、第１画像情報と第２画像情報とが、修飾された画像の画像情報とメイン画像情報とでない場合には、第１画像情報分離部１２０３と第２画像情報分離部１２０４とのそれぞれは、第１画像情報と第２画像情報とから、差分を計算し修飾された画像の画像情報とメイン画像情とのそれぞれを生成する。分離、生成された画像情報は、画像格納部１１０２に伝達される。
【００４７】
画像格納部１１０２は、画像情報受信部１１０１から伝達されるＩＤと画像情報とを、画像情報がＩＤに関連付けられた形態で、サーバ装置１０２の記憶装置やメモリに格納する。また、格納された画像情報をＩＤにより検索し、ＩＤに関連づけられる画像情報を読み出す。
【００４８】
図１３は、画像格納部１１０２の機能ブロック図の一例を示す。画像格納部１１０２は、テーブル１３０１と登録部１３０２と画像情報記憶部１３０３と検索部１３０４とを有する。
【００４９】
テーブル１３０１は、第１画像情報（例えば、修飾された画像の画像情報）と第２画像情報（例えば、メイン画像情報）とがＩＤに関連付けられた状態で記憶するためのデータ構造である。例えば、ＩＤとしての１２３４５と、第１画像情報を格納したファイル名としての０１２３４５．ｊｐｇと第２画像情報を格納したファイル名としての６７８９１０．ｊｐｇとを一行に格納することにより、０１２３４５．ｊｐｇに格納された画像情報と６７８９１０．ｊｐｇに格納された画像情報とが１２３４５に関連付けられる。
【００５０】
登録部１３０２は、画像情報受信部１１０１から伝達されるＩＤと第１画像情報と第２画像情報とをテーブル１３０１に登録する。
【００５１】
画像情報記憶部１３０３は、画像情報受信部１１０１から伝達される第１画像情報と第２画像情報とを格納し、ファイル名を付与する。登録部１３０２は、第１画像情報と第２画像情報とを画像情報記憶部１３０３により格納し、それぞれのファイル名を得て、テーブル１３０１にＩＤに関連付けて格納する。
【００５２】
検索部１３０４は、ＩＤが与えられるとそのＩＤに関連付けられた第１画像情報と第２画像情報との有無を判断し、第１画像情報と第２画像情報とが有れば、その第１画像情報と第２画像情報とを読み出す。読み出された第１画像情報と第２画像情報は、画像情報返信部１１０４に伝達される。
【００５３】
ＩＤ受信部１１０３は、端末装置１０３からＩＤを受信する。このＩＤは、画像を撮影する際に、端末装置１０３と撮影装置１０１との間で決定されたＩＤである。
【００５４】
図１４は、ＩＤ受信部１１０３の機能ブロック図の一例を示す。ＩＤ受信部１１０３は、ＩＤ転送部１４０１と転送通知部１４０２とを有する。ＩＤ転送部１４０１は、端末装置１０３から受信されたＩＤを画像格納部１１０２の検索部１３０４に転送し、検索部１３０４による検索を開始させる。転送通知部１４０２は、画像情報返信部１１０４に対して、検索部１３０４にＩＤが転送されたことを通知し、検索部１３０４による検索の結果を受信させる。
【００５５】
画像情報返信部１１０４は、ＩＤ受信部１１０３によるＩＤの受信に対して、画像情報を返信する。
【００５６】
図１５は、画像情報返信部１１０４の機能ブロック図の一例を示す。画像情報返信部１１０４は、通知受信部１５０１と検索画像情報受信部１５０２と検索画像情報送信部１５０３とを有する。通知受信部１５０１は、転送通知部１４０２による通知を受信し、検索画像情報受信部１５０２に画像情報を受信させる。検索画像情報受信部１５０２は、検索部１３０４による検索の結果である第１画像情報と第２画像情報とを受信する。検索画像情報送信部１５０３は、検索画像情報受信部１５０２が受信した検索の結果である第１画像情報と第２画像情報とを、端末装置１０３に送信する。
【００５７】
図１６は、本実施形態に係るサーバ装置１０２の処理の流れを説明するフローチャートである。図１６の（Ａ）は、撮影装置１０１から送信されるＩＤと画像情報とを受信した際の処理の流れを示し、図１６の（Ｂ）は、端末装置１０３から送信されるＩＤを受信した際の処理の流れを示す。
【００５８】
ステップＳ１６０１の処理において、画像情報受信部１１０１により、ＩＤ付画像情報を受信する。ステップＳ１６０２の処理において、ＩＤ付画像情報から分離、合成されるＩＤ、第１画像情報および第２画像情報を画像格納部１１０２に格納する。
【００５９】
ステップＳ１６０３の処理として、ＩＤ受信部１１０３により、端末装置１０３から送信されたＩＤを受信する。ステップＳ１６０４の処理として、画像格納部１１０２により、ＩＤに関連付けられて格納されている第１画像情報と第２画像情報とを検索する。ステップＳ１６０５の処理として、画像情報返信部１１０４により、第１画像情報と第２画像情報とを端末装置１０３に返信する。
【００６０】
サーバ装置１０２は、ＣＰＵ、メモリ、二次記憶装置および送受信インターフェースを相互にバスにより接続した計算機に図１６のフローチャートの処理を実行するプログラムを動作させることにより実現することもできる。例えば、送受信インターフェースにより、ＩＤと画像情報とを受信し、メモリに格納し、ＩＤ、第１画像情報および第２画像情報に分離、合成する。次にＩＤ、第１画像情報および第２画像情報を二次記憶装置に構築されているデータベースに格納する。送受信インターフェースが端末装置１０３よりＩＤを受信すると、データベースを検索して、第１画像情報および第２画像情を取得し、送受信インターフェースにより、第１画像情報および第２画像情を端末装置１０３に返信する。
【００６１】
図１７は、端末装置１０３の機能ブロック図の一例を示す。端末装置１０３は、ＩＤ端末取得部１７０１とＩＤ送信部１７０２と画像情報受信部１７０３と画像メモリ１７０４とを有する。また場合によっては、端末装置１０３は端末修飾部１７０５を有する。
【００６２】
ＩＤ端末取得部１７０１は、ＩＤを取得する。例えば、撮影装置１０１に表示されたり撮影装置１０１から送信されたりするＩＤを受信して取得する。あるいは、端末装置１０３がＩＤを生成し、撮影装置１０１に送信し、送信されたＩＤを取得してもよい。ＩＤ送信部１７０２は、ＩＤ端末取得部１７０１で取得されたＩＤをサーバ装置１０２に送信する。画像情報受信部１７０３は、ＩＤ送信部１７０２によるＩＤの送信に応じてサーバ装置１０２より返信される画像情報を受信する。画像メモリ１７０４は、サーバ装置１０２より受信された画像情報を受信する。
【００６３】
端末修飾部１７０５は、サーバ装置１０２より受信され画像メモリ１７０４に記憶された画像情報を端末装置１０３側で修飾し、撮影装置１０１の画像修飾部２０３と同等あるいは一部の機能を有する。サーバ装置１０２より受信された画像情報には、第１画像情報（例えば、メイン画像情報）と第２画像情報（例えば、修飾された画像の画像情報）とがある。そこで、端末修飾部１７０５は、第１画像情報（メイン画像情報）に対して修飾を行うようになっていてもよい。この場合、メイン画像の下に白色のレイヤが配置され、白色のレイヤに対して修飾が行われる。これにより、撮影装置１０１で行った修飾とは異なる修飾を端末装置１０３において実行することができる。すなわち、修飾は、背景に対して行われるように見えるようにすることができる。
【００６４】
図１８は、端末装置１０３の処理の流れを説明するフローチャートの一例である。ステップＳ１８０１の処理として、ＩＤ端末取得部１７０１により、ＩＤを取得する。ステップＳ１８０２の処理として、ＩＤ送信部１７０２によりＩＤを送信する。ステップＳ１８０３の処理として、画像情報受信部１７０３により、画像情報を受信する。ステップＳ１８０４の処理として、ステップＳ１８０３において受信された画像情報を、画像メモリに記憶する。
【００６５】
端末装置１０３は、パーソナルコンピュータや携帯端末により実現することができる。特に端末装置１０３が携帯端末により実現される場合には、端末修飾部１７０５は、携帯端末１０３で動作するアプリケーションにより実現してもよい。この場合、アプリケーションは携帯端末１０３にダウンロードされてもよい。このため、撮影装置１０１にアプリケーションをダウンロードするためのアプリケーションサーバ装置へのアクセス先が表示されていたり、ＩＤとともに撮影装置１０１から端末装置１０３に送信されたり、サーバ装置１０２にＩＤを送信するためにアクセスを行った際にアプリケーションサーバ装置へのアクセス先が端末装置１０３の表示画面に表示されてもよい。
【００６６】
また、このアプリケーションは、携帯端末１０３のＩＤ端末取得部１７０１、ＩＤ送信部１７０２および画像情報受信部得１７０３とは別にあるいは、これらの機能を一部利用して、ＩＤ端末取得部１７０１、ＩＤ送信部１７０２および画像情報受信部得１７０３の機能一部または全てと同等の機能を提供するようになっていてもよい。
【００６７】
例えば、アプリケーションは、ＩＤを生成して取得し、端末装置１０３のディスプレイに表示し、撮影装置１０１にＩＤを読み取らせる。このとき、アプリケーションは、サーバ装置１０２と通信を行ない、ＩＤを生成して取得してもよい。例えば、アプリケーションはサーバ装置１０２にＩＤの採番の要求を送信し、サーバ装置１０２から返信されるＩＤを受信し、端末装置１０３のディスプレイに表示してもよい。また、アプリケーションは、撮影装置１０１が表示や送信するＤを端末装置１０３のハードウェア装置を用いて取得してもよい。
【００６８】
アプリケーションは、取得したＩＤをサーバ装置に送信することにより、ＩＤ送信部１７０２と同等の機能を実現することもできる。なお、アプリケーションがサーバ装置１０２にＩＤの採番の要求を送信し、サーバ装置１０２から返信されるＩＤを受信する場合には、採番の要求に端末装置１０３を識別する情報などを含ませることにより、ＩＤをサーバ装置に送信する代わりに、端末装置１０３を識別する情報などを送信してもよい。
【００６９】
アプリケーションは、画像情報受信部１７０３と同等の機能を実現することもできる。また、アプリケーションは、必要に応じて、画像メモリ１７０４に記憶されている画像情報をサーバ装置１０２に送信する機能を実現してもよい。アプリケーションによってＩＤ送信部１７０２および画像情報受信部１７０３と同等の機能が実現されない場合には、画像情報の受信は、端末装置１０３においてブラウザなどを起動してサーバ装置１０２のＵＲＬを選択などしてアクセスし、サーバ装置１０２の提供するウェブページなどにＩＤを入力してサーバ装置１０２に送信し、画像情報を受信してダウンロードすることを利用者が行う必要がある。しかし、アプリケーションがＩＤ送信部１７０２および画像情報受信部１７０３と同等の機能を実現することにより、画像情報の受信から端末修飾部７０５の起動までをアプリケーションが行い、必要であれば画像情報をサーバ装置１０２に送信することができるので、利用者にあたかもサーバ装置１０２に格納された状態で画像の修飾を行っているような操作感を与えることができる。
【００７０】
図１９は、本発明の一実施形態に係る画像撮影システムの処理のシーケンス図の一例を示す。ステップＳ１９０１において、撮影装置１０１から端末装置１０３へＩＤが送信される。ステップＳ１９０２において、ＩＤ、第１画像情報および第２画像情報が撮影装置１０１からサーバ装置１０２へ送信される。ステップＳ１９０３において、端末装置１０３からサーバ装置１０２へＩＤが送信される。ステップＳ１９０４において、ステップＳ１９０３におけるＩＤの送信に応じて、サーバ装置１０２から端末装置１０３に画像情報が送信される。
【００７１】
図２０は、本発明の別の一実施形態に係る画像撮影システムの処理のシーケンス図の一例を示す。ステップＳ２００１において、アプリケーションサーバ装置からアプリケーションが端末装置１０３にダウンロードされる。このアプリケーションの一つの機能として、ＩＤを生成し、端末装置１０３の画面にバーコードなどの機械読み取り可能な形態で表示を行う。そこで、ステップＳ２００２の処理として、端末装置１０３から撮影装置１０１へＩＤが送信される。撮影装置１０１は、撮影部２０１などにより、ＩＤを撮影し、ＩＤを復号する。以降の処理は図１９のステップＳ１９０２，Ｓ１９０３およびＳ１９０４と同様である。
【００７２】
また、ステップＳ２００１においてダウンロードされたアプリケーションは、端末修飾部１７０５を実現する機能を有していてもよい。この場合には、ステップＳ２００５の後、アプリケーションにより、第１画像情報あるいは第２画像情報の修飾が端末装置１０３の利用者により実行がされる。
【符号の説明】
【００７３】
１００  画像撮影システム
１０１  撮影装置
１０２  サーバ装置
１０３  端末装置  
【図１】
0005872244.tif 000002
【図２】
0005872244.tif 000003
【図３】
0005872244.tif 000004
【図４】
0005872244.tif 000005
【図５】
0005872244.tif 000006
【図６】
0005872244.tif 000007
【図７】
0005872244.tif 000008
【図８】
0005872244.tif 000009
【図９】
0005872244.tif 000010
【図１０】
0005872244.tif 000011
【図１１】
0005872244.tif 000012
【図１２】
0005872244.tif 000013
【図１３】
0005872244.tif 000014
【図１４】
0005872244.tif 000015
【図１５】
0005872244.tif 000016
【図１６】
0005872244.tif 000017
【図１７】
0005872244.tif 000018
【図１８】
0005872244.tif 000019
【図１９】
0005872244.tif 000020
【図２０】
0005872244.tif 000021